(57)【特許請求の範囲】
【請求項１】
少なくとも一部が温調制御の対象物に接触する、伸縮可能な第１の部材と、
前記第１の部材に連結され、伸縮可能な第２の部材と、
前記第１の部材及び前記第２の部材の内部空間に流す液体を制御する制御部と、
を備え、
前記第１の部材は、前記対象物に対して伸縮可能に複数配置され、
前記第２の部材は、複数の前記第１の部材を伸縮可能に連結するように複数配置され、
前記第２の部材は、隣り合う前記第１の部材の上側、下側と順に連結する、ことを特徴とする温調機構。
【請求項２】
前記第１の部材は、前記対象物に対して長手方向が垂直に配置された複数の伸縮性配管であり、
前記第２の部材は、前記対象物に対して長手方向が水平に配置された複数の伸縮性配管であり、
前記制御部は、前記第１の部材及び前記第２の部材の伸縮性配管内に流す液体の圧力を制御する、
ことを特徴とする請求項１に記載の温調機構。
【請求項３】
前記第１の部材は、前記対象物に対して長手方向が垂直に配置された複数の伸縮可能な棒状部材であり、
前記第２の部材は、前記対象物に対して長手方向が水平に配置された複数の伸縮性配管であり、
前記制御部は、前記第２の部材の伸縮性配管内に流す液体の圧力を制御する、
ことを特徴とする請求項１に記載の温調機構。
【請求項４】
少なくとも一部が温調制御の対象物に接触する、伸縮可能かつ変形可能な第１の部材と、
前記第１の部材に連結され、伸縮可能かつ変形可能な第２の部材と、
前記第１の部材及び前記第２の部材の内部空間に流す液体を制御する制御部と、
を備え、
前記第１の部材は、前記対象物に対して伸縮可能かつ変形可能に複数配置され、
前記第２の部材は、複数の前記第１の部材を伸縮可能かつ変形可能に連結するように複数配置され、
前記第２の部材は、隣り合う前記第１の部材の上側、下側と順に連結する、ことを特徴とする温調機構。
【請求項５】
前記第１の部材は、前記対象物に対して長手方向が垂直に配置された複数の伸縮性および可撓性配管であり、
前記第２の部材は、前記対象物に対して長手方向が水平に配置された複数の伸縮性および可撓性配管であり、
前記制御部は、前記第１の部材及び前記第２の部材の伸縮性および可撓性配管内に流す液体の圧力を制御する、
ことを特徴とする請求項４に記載の温調機構。
【請求項６】
前記第２の部材は、前記第１の部材の端部近傍で、上側、下側と順に連結することを特徴とする請求項１〜５のいずれか一項に記載の温調機構。
【請求項７】
前記第１の部材の先端部は、前記対象物に向かって凸状に湾曲した形状又は球面状である、
ことを特徴とする請求項１〜６のいずれか一項に記載の温調機構。
【請求項８】
前記第１の部材の先端部は、薄膜により形成されている、
ことを特徴とする請求項１〜７のいずれか一項に記載の温調機構。
【請求項９】
前記制御部は、前記伸縮性配管内の液体の圧力を制御し、前記第１の部材と前記対象物との接触圧力を可変に制御する、
ことを特徴とする請求項２、３又は５のいずれか一項に記載の温調機構。
【請求項１０】
前記制御部は、前記液体の流量と前記伸縮性配管に連結された絞り弁とを調整することにより、前記伸縮性配管内の液体の圧力を制御する、
ことを特徴とする請求項９に記載の温調機構。
【請求項１１】
前記温調機構は、複数系統から構成され、
前記制御部は、各系統の温調機構に流す液体を独立して別々に制御する、
ことを特徴とする請求項１〜１０のいずれか一項に記載の温調機構。
【請求項１２】
前記液体は、冷媒又は温媒である、
ことを特徴とする請求項１〜１１のいずれか一項に記載の温調機構。
【請求項１３】
前記対象物は、プラズマ処理装置に設けられた上部電極、デポシールド又はサセプタの少なくともいずれかである請求項１〜１２のいずれか一項に記載の温調機構。
【請求項１４】
前記温調機構は、少なくとも前記第１の部材及び前記第２の部材を内蔵し、固定部材を介して前記第１の部材を固定するハウジングを更に有し、
前記ハウジングの内部は、所定の真空状態に保たれる請求項１〜１３のいずれか一項に記載のプラズマ処理装置。
【請求項１５】
少なくとも一部が温調制御の対象物としてのプラズマ処理装置のパーツに接触する、伸縮可能な第１の部材と、
前記第１の部材に連結され、伸縮可能な第２の部材と、
前記第１の部材及び前記第２の部材の内部空間に流す液体を制御する制御部と、
を有し、
前記第１の部材は、前記対象物に対して伸縮可能に複数配置され、
前記第２の部材は、複数の前記第１の部材を伸縮可能に連結するように複数配置され、
前記第２の部材は、隣り合う前記第１の部材の上側、下側と順に連結する温調機構を備えたことを特徴とするプラズマ処理装置。
【請求項１６】
前記制御部は、前記プラズマ処理装置にて行われるプロセスのレシピに基づき、前記内部空間に流す液体を可変に制御する請求項１５に記載のプラズマ処理装置。
【請求項１７】
少なくとも一部が対象物に接触された、伸縮可能な第１の部材と、前記第１の部材に連結された、伸縮可能な第２の部材と、を備え、前記第１の部材は、前記対象物に対して伸縮可能に複数配置され、前記第２の部材は、複数の前記第１の部材を伸縮可能に連結するように複数配置され、前記第２の部材は、隣り合う前記第１の部材の上側、下側と順に連結する温調機構の前記第１の部材及び前記第２の部材の内部空間に流す液体の圧力を制御することにより、前記第１の部材と前記対象物との接触圧力を可変に制御することを特徴とする温調制御方法。
【発明の詳細な説明】
【技術分野】
【０００１】
本発明は、温調機構、プラズマ処理装置及び温調制御方法に関する。
【背景技術】
【０００２】
真空中は大気中より熱伝達率が悪い。よって、真空中では大気中よりも熱伝達が接触圧力に大きく依存する。これを考慮して、真空容器中では、冷却水を通した金属製のプレート等を対象物に接触させて冷却する方法が広く用いられている。例えば、特許文献１には、ベローズ内部に冷媒を流して物体を冷却する温調機構が提案されている。また、特許文献２には、プラズマ処理装置の蓋部及び壁部に加熱／冷却ブロックを設けて、プラズマ処理装置の表面温度を制御する技術が提案されている。
【先行技術文献】
【特許文献】
【０００３】
【特許文献１】実開昭和６４−２４５０号公報
【特許文献２】特表２００３−５１４３９０号公報
【発明の概要】
【発明が解決しようとする課題】
【０００４】
しかしながら、特許文献１では、冷媒対象である物体に当接するベローズは単一であって、ベローズとベローズとを繋ぐ中継ベローズがない。よって、特許文献１では、冷却対象物の広いエリアを精度よく温調することは難しかった。
【０００５】
また、特許文献２では、冷却対象物と接触して対象物を冷却するための加熱／冷却ブロックに伸縮性がない。このため、対象物の熱膨張や加工精度に追従して加熱／冷却ブロックを変形させることができず、対象物との接触状態が悪くなっていた。このため、熱伝達率が低下し、温調効果を高めることは難しかった。
【０００６】
特に、前述したように真空中は大気中より熱伝達率が悪い。そのため、対象物との接触圧力のコントロールは温調機構の性能を高めるために非常に重要である。例えば、温調機構を対象物に押し付ける力をネジ等の固定力で発生させると、冷却対象物の熱膨張や加工精度に追従して接触圧力をコントロールすることができず、対象物の熱変形や寸法誤差に対して温調機構の対象物に対する接触圧力を適切な値に保つことができない。
【０００７】
上記課題に対して、本発明の目的とするところは、複数の伸縮可能な部材を用いて温調制御の対象物との接触圧力を可変に制御することが可能な、温調機構、プラズマ処理装置及び温調制御方法を提供することにある。
【課題を解決するための手段】
【０００８】
上記課題を解決するために、本発明のある観点によれば、少なくとも一部が温調制御の対象物に接触する、伸縮可能な第１の部材と、前記第１の部材に連結され、伸縮可能な第２の部材と、前記第１の部材及び前記第２の部材の内部空間に流す液体を制御する制御部と、を備え、前記第１の部材は、前記対象物に対して伸縮可能に複数配置され、前記第２の部材は、複数の前記第１の部材を伸縮可能に連結するように複数配置され、前記第２の部材は、隣り合う前記第１の部材の上側、下側と順に連結することを特徴とする温調機構が提供される。
【０００９】
前記第１の部材は、前記対象物に対して長手方向が垂直に配置された複数の伸縮性配管であり、前記第２の部材は、前記対象物に対して長手方向が水平に配置された複数の伸縮性配管であり、前記制御部は、前記第１の部材及び前記第２の部材の伸縮性配管内に流す液体の圧力を制御してもよい。あるいは、前記第１の部材は、前記対象物に対して長手方向が垂直に配置された複数の伸縮可能な棒状部材であり、前記第２の部材は、前記対象物に対して長手方向が水平に配置された複数の伸縮性配管であり、前記制御部は、前記第２の部材の伸縮性配管内に流す液体の圧力を制御してもよい。
【００１０】
また、上記課題を解決するために、本発明の別の観点によれば、少なくとも一部が温調制御の対象物に接触する、伸縮可能かつ変形可能な第１の部材と、前記第１の部材に連結され、伸縮可能かつ変形可能な第２の部材と、前記第１の部材及び前記第２の部材の内部空間に流す液体を制御する制御部と、を備え、前記第１の部材は、前記対象物に対して伸縮可能かつ変形可能に複数配置され、前記第２の部材は、複数の前記第１の部材を伸縮可能かつ変形可能に連結するように複数配置され、前記第２の部材は、隣り合う前記第１の部材の上側、下側と順に連結する、ことを特徴とする温調機構が提供される。この温調機構において、前記第１の部材は、前記対象物に対して長手方向が垂直に配置された複数の伸縮性および可撓性配管であり、前記第２の部材は、前記対象物に対して長手方向が水平に配置された複数の伸縮性および可撓性配管であり、前記制御部は、前記第１の部材及び前記第２の部材の伸縮性および可撓性配管内に流す液体の圧力を制御してもよい。
【００１１】
前記第２の部材は、前記第１の部材の端部近傍で、上側、下側と順に連結してもよい。
【００１２】
前記第１の部材の先端部は、前記対象物に向かって凸状に湾曲した形状又は球面状であってもよい。
【００１３】
前記第１の部材の先端部は、薄膜により形成されていてもよい。
【００１４】
前記制御部は、前記伸縮性配管内の液体の圧力を制御し、前記第１の部材と前記対象物との接触圧力を可変に制御してもよい。
【００１５】
前記制御部は、前記液体の流量と前記伸縮性配管に連結された絞り弁とを調整することにより、前記伸縮性配管内の液体の圧力を制御してもよい。
【００１６】
前記温調機構は、複数系統から構成され、前記制御部は、各系統の温調機構に流す液体を独立して別々に制御してもよい。
【００１７】
前記液体は、冷媒又は温媒であってもよい。
【００１８】
前記対象物は、プラズマ処理装置に設けられた上部電極、デポシールド又はサセプタの少なくともいずれかであってもよい。
【００１９】
前記温調機構は、少なくとも前記第１の部材及び前記第２の部材を内蔵し、固定部材を介して前記第１の部材を固定するハウジングを更に有し、前記ハウジングの内部は、所定の真空状態に保たれてもよい。
【００２０】
また、上記課題を解決するために、本発明の別の観点によれば、少なくとも一部が温調制御の対象物としてのプラズマ処理装置のパーツに接触する、伸縮可能な第１の部材と、前記第１の部材に連結され、伸縮可能な第２の部材と、前記第１の部材及び前記第２の部材の内部空間に流す液体を制御する制御部と、を有し、前記第１の部材は、前記対象物に対して伸縮可能に複数配置され、前記第２の部材は、複数の前記第１の部材を伸縮可能に連結するように複数配置され、前記第２の部材は、隣り合う前記第１の部材の上側、下側と順に連結する温調機構を備えたことを特徴とするプラズマ処理装置が提供される。
【００２１】
前記制御部は、前記プラズマ処理装置にて行われるプロセスのレシピに基づき、前記内部空間に流す液体を可変に制御してもよい。
【００２２】
また、上記課題を解決するために、本発明の別の観点によれば、少なくとも一部が対象物に接触された、伸縮可能な第１の部材と、前記第１の部材に連結された、伸縮可能な第２の部材と、を備え、前記第１の部材は、前記対象物に対して伸縮可能に複数配置され、前記第２の部材は、複数の前記第１の部材を伸縮可能に連結するように複数配置され、前記第２の部材は、隣り合う前記第１の部材の上側、下側と順に連結する温調機構の前記第１の部材及び前記第２の部材の内部空間に流す液体の圧力を制御することにより、前記第１の部材と前記対象物との接触圧力を可変に制御することを特徴とする温調制御方法が提供される。
【発明の効果】
【００２３】
以上説明したように、本発明によれば、複数の伸縮可能な部材を用いて、温調制御の対象物との接触圧力を可変に制御することができる。
【図面の簡単な説明】
【００２４】
【図１】第１実施形態に係る温調機構を含むプラズマ処理装置の縦断面図である。
【図２】第１実施形態に係る温調機構の所定部分の拡大図である。
【図３】第１実施形態に係る温調制御の対象物への接触圧力を説明するための図である。
【図４】接触する物体間の押圧力と熱伝達率との関係を示した図である。
【図５】第２実施形態に係る温調機構の斜視図である。
【図６】第２実施形態に係る温調機構の複数系統のゾーン制御を示した図である。
【図７】第２実施形態に係る複数系統のゾーン毎の温調例を示した図である。
【図８】変形例に係る温調機構を含むプラズマ処理装置の縦断面図である。
【発明を実施するための形態】
【００２５】
以下に添付図面を参照しながら、本発明の実施形態について詳細に説明する。なお、本明細書及び図面において、実質的に同一の機能構成を有する構成要素については、同一の符号を付することにより重複説明を省略する。
【００２６】
なお、本発明は、第１実施形態、第２実施形態、変形例の順に以下の内容で説明される。
＜第１実施形態＞
［温調機構を含むプラズマ処理装置のハードウエア構成］
（温調機構）
（押圧力と熱伝達率）
＜第２実施形態＞
［複数系統の温調制御］
＜変形例＞
［温調機構を含むプラズマ処理装置のハードウエア構成］
【００２７】
＜第１実施形態＞
［温調機構を含むプラズマ処理装置のハードウエア構成］
まず、本発明の第１実施形態に係る温調機構を含むプラズマ処理装置の全体構成について、プラズマ処理装置の縦断面を示した図１を参照しながら説明する。ここでは、プラズマ処理装置の一例として、エッチング装置１０を例に挙げて説明する。
【００２８】
エッチング装置１０は、内部にてウエハＷをプラズマ処理するための処理容器１００を有する。処理容器１００は円筒状で、たとえばアルミニウム等の金属から形成され、接地されている。
【００２９】
処理容器１００の底部側には、下部電極１１０が天板１１５に対向して配設されている。下部電極１１０には、ウエハＷを載置するサセプタ１２０が設けられている。サセプタ１２０は、アルミニウム等の金属から形成されていて、絶縁体１２５を介して処理容器１００の底部に設置されている。これにより、下部電極１１０は電気的に浮いた状態になっている。
【００３０】
下部電極１１０には、高周波電源１３０が接続されている。高周波電源１３０は、例えば６０ＭＨｚのプラズマ励起用の高周波電力を出力する。なお、本実施形態では、高周波電力を下部電極１１０に印加したが、上部電極としても機能する天板１１５に印加してもよい。
【００３１】
ガス供給源１３５は、処理容器１００の天板１１５の上部に配置された温調機構２００に連結されている。ガス供給源１３５から供給されたガスは、温調機構２００の内部を通って、天板１１５に設けられた複数のガス穴１１５ａから処理容器１００の内部に導入される。導入されたガスは、高周波電源１３０から出力された高周波のパワーにより励起され、これにより、プラズマが生成される。ウエハＷは、生成されたプラズマにより所望の形状にエッチングされる。
【００３２】
処理容器１００の底部には排気口１４０が設けられ、排気口１４０と連通する排気装置１４５により処理容器１００の内部が排気される。これにより、処理容器内は所望の真空状態となる。また、複数のガス穴１１５ａを通して連通する温調機構２００の内部も所望の減圧状態となる。
【００３３】
（温調機構）
温調機構２００は、処理容器１００の外部の天板上に設置されている。温調機構２００は、ハウジング２１０、縦ベローズ２１５、横ベローズ２２０、固定部材２３０、及び連結部材２３５を有する。本実施形態は、温調機構２００の温度調整を制御する制御装置３００も含めて温調機構２００と称呼する。ハウジング２１０は、温調機構２００全体を覆う筐体である。つまり、縦ベローズ２１５、横ベローズ２２０、固定部材２３０、及び連結部材２３５は、ハウジング２１０の内部に設けられている。一方、制御装置３００はハウジング２１０の外部に設けられている。
【００３４】
ハウジング２１０の上部は、図１で示したように湾曲していてもよいし、平らであってもよい。温調機構２００は、ハウジング２１０の上部内壁に支持され、固定される。ハウジング２１０は、ステンレス、アルミニウム等、水圧に耐えられる程度の剛性を有していれば、いずれの部材を用いてもよい。
【００３５】
縦ベローズ２１５は、少なくとも一部が温調制御の対象物に接触する、伸縮可能な部材から構成されている。ここでは、温調制御の対象物は、処理容器１００の天板１１５である。縦ベローズ２１５は、天板１１５に対してその長手方向が垂直に配置された伸縮性配管である。ここでは、複数の縦ベローズ２１５が均等に配置されているが、縦ベローズ２１５は均等に配置されていなくてもよい。
【００３６】
図２の左図「Ａ」は、図１のＡ部分の拡大図である。図２の「Ａ」に示したように、縦ベローズ２１５の先端は、横ベローズ２２０と連結する連結部分２１５ａになっている。連結部分２１５ａは、縦ベローズ２１５と横ベローズ２２０とを固定する配管として剛性の高い物質が用いられる。また、連結部分２１５ａの先端部２１５ａ１は、天板１１５との接触部分であり、熱伝達率を向上させるために天板１１５に対して球面状になっている。先端部２１５ａ１は、球面状でなくても天板１１５に対して凸状に湾曲した形状となっていてもよい。先端部２１５ａ１の接触面積は、天板１１５を８０℃前後に冷却できる大きさであってもよい。先端部２１５ａ１を球面状等、凸状に湾曲した形状にすることにより、天板１１５や各ベローズのたわみや形状の加工精度に影響されずに冷却対象物との接触面積を所定以上に確保することができる。
【００３７】
連結部分２１５ａ及びその先端部２１５ａ１は、同じ材質であってもよく異なる材質であってもよい。ただし、先端部２１５ａ１は、密着性が重要なため対象物の変形に追従できるように、柔軟性の高い素材が好ましい。先端部２１５ａ１は、薄膜により形成されていてもよい。薄膜は柔軟性が高いためである。連結部分２１５ａ及びその先端部２１５ａ１が剛体であってもよいが、その場合には縦ベローズ２１５の伸縮性が重要になる。つまり、縦ベローズ２１５に冷却水を通すことによる水圧で、縦ベローズ２１５が伸縮し、これにより水圧を対象物に伝え、対象物と先端部２１５ａ１との密着性を高めることができる。
【００３８】
横ベローズ２２０は、天板１１５に対してその長手方向が水平に配置された伸縮性配管である。ここでは、横ベローズ２２０は、その両端部で隣接する縦ベローズ２１５と連結することにより、縦ベローズ２１５を支持する。すなわち、横ベローズ２２０は縦ベローズ２１５の間に設けられ、隣り合う縦ベローズ２１５の上側、下側と順に端部近傍で各縦ベローズ２１５を伸縮可能に繋ぐ。
【００３９】
縦ベローズ２１５及び横ベローズ２２０は、熱伝達がよい金属、例えば、ステンレス、銅、アルミニウム形成されていることが好ましいが、樹脂等で形成することもできる。縦ベローズ２１５及び横ベローズ２２０は、ベローズでなくてもよく、熱伝達性のあるホースやゴム膜、内圧を掛けると伸縮する金属の薄肉の管等で形成されてもよい。
【００４０】
縦ベローズ２１５及び横ベローズ２２０は、内部に液体を通すことが可能で、水圧を対象物に圧力として伝えることができ、対象物の変形に追従できる柔軟性をもった環状部材であればよい。本実施形態に係る温調機構２００によれば、縦ベローズ２１５と横ベローズ２２０とを組み合わせて冷却水の通り道を形成する。これにより、縦ベローズ２１５の伸縮や変形に横ベローズ２２０を追従させることができる。特に、横ベローズ２２０は、縦ベローズ２１５と天板１１５との寸法誤差を吸収する。よって、横ベローズ２２０を、縦ベローズ２１５の伸縮や変形に追従できない完全な固定管で形成することは好ましくない。また、本実施形態に係る温調機構２００では、横ベローズ２２０を、縦ベローズ２１５の上端部近傍のみで連結するのは、各ベローズ内を流れる水がよどむ原因となり、スムーズに水が流れないため好ましくない。
【００４１】
なお、縦ベローズ２１５は、少なくとも一部が温調制御の対象物に接触する、伸縮可能な第１の部材の一例である。横ベローズ２２０は、第１の部材に連結され、伸縮可能な第２の部材の一例である。横ベローズ２２０は、縦ベローズ２１５を中継する中継ベローズとして機能する。
【００４２】
固定部材２３０は、連結部材２３５を介して縦ベローズ２１５と連結している。これにより、縦ベローズ２１５は、固定部材２３０を介してハウジング２１０に固定される。図２の右図「Ｂ」は、図１のＢ部分の拡大図である。図２の「Ｂ」に示したように、固定部材２３０の先端は、ハウジング２１０の突起部分２１０ａと嵌合することにより縦ベローズ２１５をハウジングに位置決めし、固定する。ただし、固定方法はこれに限られず、ネジ構造や溶接により固定してもよい。
【００４３】
再び図１に戻ると、ハウジング２１０の外部には、チラー２４０が設置されている。チラー２４０は、冷却水を循環させる冷却管２４５と連結されている。連結部材２３５は、冷却管２４５と連結されている。これにより、チラー２４０から供給された冷却水は、冷却管２４５を通り、連結部材２３５、複数の縦ベローズ２１５及び複数の横ベローズ２２０を順に流れ、冷却管２４５を経由してチラー２４０に戻る。
【００４４】
本実施形態に係る制御装置３００は、縦ベローズ２１５及び横ベローズ２２０という伸縮性のある配管内に流す液体の圧力を制御する。その制御は制御装置３００により実行される。制御装置３００は、制御部３１０及び記憶部３１５を有している。制御部３１０は、記憶部３１５に記憶されたレシピ３１５ａに従い、冷却水の流量や冷却水の温度を制御するために所望の制御信号をチラー２４０に送る。チラー２４０は、制御信号に基づき所定流量及び所定の温度の冷却水を供給する。
【００４５】
以上のように、本実施形態では冷却水が循環するが、縦ベローズ２１５及び横ベローズ２２０を流れる液体の例としては、ガルデンのような絶縁性流体、エチレングリコール、シリコンオイル等が挙げられる。また、温調機構２００を流れる液体は、冷媒であってもよく、温媒であってもよい。液体の替わりにガスを用いてもよい。
【００４６】
かかる構成を有する温調機構２００によれば、制御部３１０による水圧の調整により、縦ベローズ２１５の先端部２１５ａ１の対象物に対する押し付け圧力の調整が可能となる。
【００４７】
（押圧力と熱伝達率）
ハウジング２１０の内部は所定の真空状態にあるため、大気中より熱伝達率が悪い。よって、真空中では大気中よりも熱伝達性が接触圧力に大きく依存する。このため、対象物との接触圧力のコントロールは、温調機構の性能を高めるために特に重要となる。
【００４８】
ところが、温調機構を対象物に押し付ける力をネジ等の固定力にすると、冷却対象物の熱膨張や加工精度に追従して接触圧力をコントロールすることができず、対象物の熱変形や寸法誤差に対して温調機構の対象物に対する接触圧力を適切な値に保つことができない。
【００４９】
これに対して、本実施形態に係る温調機構２００によれば、制御部３１０によりベローズ内を流れる冷却水の圧力が制御される。これにより、各ベローズの収縮度合いを制御することができ、縦ベローズ２１５の先端部２１５ａ１の天板１１５への押し付け圧力を可変に調整することができる。例えば、図３に示したように、縦ベローズ２１５の先端部２１５ａ１が薄膜等の柔軟性があるものであれば、薄膜自体が天板１１５の変形に追従して変形し、横ベローズ２２０を中継して縦ベローズ２１５内部を流れる水圧を天板１１５に伝えることができる。また、縦ベローズ２１５の水圧による変形を天板１１５側に効率よく伝えるために、縦ベローズ２１５の上端はハウジング２１０で固定されている。
【００５０】
例えば、図４の左側には、押し付け力（Ｎ／ｍｍ２）と接触熱伝達率（ｗ／ｍ２・ｋ）との関係が示されている。このグラフは、図４の右側に示した検体を用いた接触熱伝達率の実験結果である。検体は、部品ａ，ｂを互いに接触させたものであり、部品ａの上端を冷却管に連結させ、冷却管内部に冷却水を流す。部品ａ，ｂは固定ネジ部により固定されている。また、部品ａ，ｂは真空中に設けられている。部品ｂの端部はヒータと接触している。この検体に取り付けられたヒータの入熱量（ｗ）と各温度センサＴＣでの温度と位置、部品ａ，ｂの形状寸法とから部品ａ、ｂ間の接触熱伝達率を算出する。また、部品ａ，ｂの固定トルクと接触面の寸法から、接触面の押し付け力を算出する。
【００５１】
これによれば、ネジによる固定トルクによって生じる軸力を押し付け力として、この押し付け力の大きさにより部品ａ，ｂの接触部分の密着性が変わる。グラフによれば、押し付け力が高くなればなるほど、接触熱伝達率が高くなることがわかる。
【００５２】
本実施形態に係る温調機構２００の構成によれば、ベローズという伸縮可能な部材を冷却管に使う。これにより、縦ベローズ２１５を天板１１５に押し当てる力をベローズ内部に通す水圧で調整することができる。よって、ベローズ内部に通す水圧で熱伝達率を制御することができる。つまり、水圧を高くして強く押し付けるほど熱伝達率がよくなる。このようにして、冷却水の流量と温度により天板１１５の温度調整を制御することができる。
【００５３】
ただし、先端部２１５ａ１の天板１１５に対する押し付け圧力は、縦ベローズ２１５のベローズ肉厚やバネ係数やベローズ長、縦ベローズ２１５の内部を流れる冷却水の流量、及び配管後段に設けられた図示しない絞り弁（図７の調整弁Ｖ５，Ｖ６参照）によって変わる。よって、押し付け圧力の最適化を図るためには、縦ベローズ２１５のベローズ肉厚やバネ係数やベローズ長の設定、絞り弁の状態によって、適切な流量の冷却水を流すことが必要である。
【００５４】
また、制御部３１０は、記憶部３１５に記憶したレシピ３１５ａに設定された条件に応じて、冷却水の流量と温度とを変化させる制御信号を出力する。これにより、天板１１５の温度調整をプロセスに応じて変化させることができる。
【００５５】
以上に説明したように、本実施形態に係る温調機構２００によれば、縦べローズ２１５及び横ベローズ２２０を互いに連結させた構成を有し、ベローズ内部に流す冷却水の水圧を制御する。これにより、縦ベローズ２１５の先端部２１５ａ１と天板１１５との接触圧力を可変にコントロールすることができる。これによれば、例えばプロセス中の加熱による天板１１５の形状変化や形状の加工精度によらず、適正な接触圧力を安定して天板１１５に付勢することができる。これにより、大気中より熱伝達率が低い真空中であっても、冷却対象物を効率的に冷却することができる。
【００５６】
＜第２実施形態＞
次に、第２実施形態に係る温調機構２００について、図５〜図７を参照しながら説明する。図５は、天板１１５を対象物として温調制御する温調機構２００の縦ベローズ２１５及び横ベローズ２２０の配置位置及び形状を主に示した図である。本実施形態においても、複数の縦ベローズ２１５が天板１１５の上面に伸縮可能に接触した状態で均等な間隔に配置され、複数の横ベローズ２２０が縦ベローズ２１５の間に設けられ、隣り合う縦ベローズ２１５の上側、下側と順に端部近傍で縦ベローズ２１５を繋ぐ。冷却水は、温調機構２００に連結された一方の冷却管２４５から供給され、連結する縦ベローズ２１５及び横ベローズ２２０を順に通って他方の冷却管２４５から排出され、図１のチラー２４０に戻る。
【００５７】
［複数系統の温調制御］
かかる構成によれば、縦ベローズ２１５及び横ベローズ２２０の組み合わせにより、天板１１５の温度をゾーン毎に可変に制御することができる。その具体例を、図６及び図７を参照しながら説明する。
【００５８】
図６の上部は、先端部２１５ａ１と天板１１５との接触位置とゾーンとの関係を示した図である。温調機構２００は内周側ゾーン、外周側ゾーン（１）及び外周側ゾーン（２）の３つのゾーンに分けて温度調節される。内周側ゾーンには２つの接触部分があり、外周側ゾーン（１）及び外周側ゾーン（２）にはそれぞれ３つの接触部分がある。また、図７に示したように、温調機構２００には、１０つの弁Ｖ１〜Ｖ１０が内蔵されている。
【００５９】
図６の下部の表に示したように、図７のケース１〜ケース４では、外周側ゾーン（１）（２）及び内周側ゾーンの温度が、高温、中温、低温のいずれかに調整される。図７のケース１〜ケース４のいずれの場合にも、弁Ｖ１〜Ｖ１０の配置位置は変わらない。また、いずれのケースも、制御部３１０が、弁Ｖ１〜Ｖ１０の開度の調整や、全開又は全閉の制御を行う。調整弁Ｖ５、Ｖ６に関しては、その弁体の開度が調整され、遮断弁Ｖ１〜Ｖ４及び遮断弁Ｖ７〜Ｖ１０に関しては、その弁体の全開又は全閉の状態が制御される。これにより、各系統の温調機構に流す液体を独立して別々に制御することができる。
【００６０】
（ケース１）
図７のケース１では、遮断弁Ｖ１は開き、遮断弁Ｖ３は閉じている。このため、流入した高温の冷却水は、遮断弁Ｖ１を経由して外周側ゾーン（１）（２）に流れる。これにより、外周側ゾーン（１）（２）が高温の冷却水で温度調節される。一方、遮断弁Ｖ４は開き、遮断弁Ｖ３は閉じている。このため、流入した低温の冷却水は、遮断弁Ｖ４を経由して内周側ゾーンに流れる。これにより、内周側ゾーンが低温の冷却水で温度調節される。
【００６１】
外周側ゾーン（１）（２）に流れた高温の冷却水は、遮断弁Ｖ７が開き、遮断弁Ｖ９が閉じているため、調整弁Ｖ５及び遮断弁Ｖ７を通って冷却管２４５からチラー２４０に戻される。一方、内周側ゾーンに流れた低温の冷却水は、遮断弁Ｖ１０が開き、遮断弁Ｖ８が閉じているため、調整弁Ｖ６及び遮断弁Ｖ１０を通って冷却管２４５からチラー２４０に戻される。このようにして、天板１１５の外周側と内周側とを分けて、例えば、外周側を高温（５０℃）、内周側を低温(１０℃)に温度調整することができる。なお、調整弁Ｖ５、Ｖ６は、ベローズに連結された絞り弁である。制御部３１０は、この調整弁Ｖ５、Ｖ６の開度と冷却水の流量とを制御することにより、縦ベローズ２１５内の液体の圧力を制御し、これにより、縦ベローズ２１５と天板１１５との接触圧力を可変に制御する。特に、制御部３１０が、調整弁Ｖ５、Ｖ６の弁体の開度を調整することによって、冷却水の流量を変えずに管内の内圧を制御することができる。これにより、例えば、低い流量でも高い内圧を実現し、縦ベローズ２１５と天板１１５との接触圧力をより容易に制御することができる。
【００６２】
（ケース２）
ケース２では、遮断弁Ｖ１〜Ｖ４の開閉がケース１の場合と逆になっている。つまり、遮断弁Ｖ１は閉じ、遮断弁Ｖ３は開いている。また、遮断弁Ｖ４は閉じ、遮断弁Ｖ３は開いている。その他の弁の状態はケース１の場合と同じである。これにより、外周側ゾーン（１）（２）が低温、内周側ゾーンが高温に調整される。
【００６３】
（ケース３）
ケース３では、遮断弁Ｖ２の開閉のみケース１の場合と異なっていて、開いている。その他の弁の状態はケース１の場合と同じである。これにより、外周側ゾーン（１）（２）には高温の冷却水と低温の冷却水とが流れ、中温の冷却水で温度調整される。一方、遮断弁Ｖ３は閉じているため、内周側ゾーンには高温の冷却水は流れず、低温の冷却水で温度調整される。
【００６４】
（ケース４）
ケース４では、遮断弁Ｖ４が開いている点で閉じていたケース２と異なる。その他の弁の状態はケース２の場合と同じである。これにより、外周側ゾーン（１）（２）には低温の冷却水が流れ、低温の冷却水で温度調整される。一方、内周側ゾーンには高温の冷却水及び低温の冷却水が流れ、中温の冷却水で温度調整される。
【００６５】
以上に説明したように、本実施形態に係る温調機構２００によれば、弁体の制御により温調機構２００を複数の系統に分離して各系統で独立して制御することができる。これにより、温調制御の対象物をゾーン化して、対象物をゾーン毎に異なる温度に制御することができる。特に、本実施形態に係る温調機構２００をエッチング装置１０に利用した場合、制御部３１０が、プロセス条件を設定したレシピに応じて弁体の開閉や開度、冷却水の流量を制御する。これにより、レシピの設定内容によって、水が各ベローズ内を流れる順番を組み替えることができ、ゾーン毎の温度を可変に制御することができる。このようにして、本実施形態に係る温調機構２００によれば、対象物の温度コントロールのバリエーションを広げることができる。例えば、中心側のプラズマ密度は、外側の密度より高くなる傾向がある。この場合、プラズマ処理中に発生する熱により、天板１１５の中心側が外側より高温になる。よって、そのようなプロセスにおいては、ケース１のように内周側を低温の冷却水で温度調節し、外周側を高温の冷却水で温度調節することが好ましい。これにより、天板１１５をより均一に温度調整することができる。
【００６６】
＜変形例＞
［温調機構を含むプラズマ処理装置のハードウエア構成］
次に、図８を参照しながら、変形例にかかる温調機構４００を有するエッチング装置１０について説明する。本変形例では、温調機構４００の構造が第１実施形態と異なる。よって、この点を中心に本変形例について説明する。
【００６７】
本変形例にかかる温調機構４００は、ハウジング４１０、縦ベローズ４１５、横ベローズ４２０、固定部材４３０、連結部材４３５及び棒状部材４４０を有する。
【００６８】
ハウジング４１０及び固定部材４３０の構成は第１実施形態と同じであり、固定部材４３０は第１実施形態と同様の方法でハウジング４１０の所定位置に位置決めされ、固定されている。本変形例では、縦ベローズ４１５と横ベローズ４２０とが、連結部材４３５にて連結されている。図８の右上に縦ベローズ４１５と棒状部材４４０の拡大断面図を示したように、棒状部材４４０は上端に凸部を有するＴ字型であり、縦方向に伸縮可能である。棒状部材４４０は、その凸部が縦ベローズ４１５に係合することにより、縦ベローズ４１５に固定されている。固定方法は、ネジでもよく、接着でもよい。ここでは、縦方向に伸びた複数の縦ベローズ４１５にカーボンなどの熱伝達性の高い棒状部材を連結させる。棒状部材４４０は、天板１１５に対して長手方向が垂直になるように等間隔に配置されている。棒状部材４４０は、対象物に対して長手方向が垂直に配置された複数の棒状部材である第１の部材の一例である。
【００６９】
複数の横ベローズ４２０は、対象物に対して長手方向が水平になるように直線状に連結されている。横ベローズ４２０は、対象物に対して長手方向が水平に配置された複数の伸縮性配管である第２の部材の一例である。
【００７０】
冷却水は、温調機構４００に連結された一方の冷却管２４５から入り、連結する複数の横ベローズ４２０を通って他方の冷却管２４５から排出され、チラー２４０に戻る。その際、横ベローズ４２０を流れる冷却水の圧力は、縦ベローズ４１５を介して棒状部材４４０の上端部を下に押し下げる力として棒状部材４４０に加わる。よって、本変形例によっても、制御部３１０が、横ベローズ４２０を流れる冷却水の圧力を制御することにより、棒状部材４４０と天板１１５との接触圧力を可変に制御することができる。
【００７１】
以上に説明したように、本変形例に係る温調機構４００によれば、縦ベローズ４１５の内部にて棒状部材４４０を縦ベローズ４１５に連結させた構成を有し、横ベローズ４２０内に流す冷却水の水圧を制御することにより、縦ベローズ４１５に連結された棒状部材４４０の先端部と天板１１５との接触圧力を可変に制御する。これによれば、例えばプロセス中の加熱による天板１１５の形状変化や形状の加工精度によらず、適正な接触圧力を安定して天板１１５に不勢することができる。これにより、大気中より熱伝達率が低い真空中であっても、冷却対象物を効率的に冷却することができる。
【００７２】
以上、上記実施形態及びその変形例に係る温調機構によれば、冷却水を通す配管にベローズを用い、ベローズに流す冷却水の水圧を変化させることにより、対象物との接触圧力を自由にコントロールすることができる。また、対象物の形状変化に追従して効率よく対象物を温度調整することができる。これにより、大気中より熱伝達率が低い真空中であっても、安定した温調効果が得られる。
【００７３】
上記実施形態及びその変形例において、各部の動作は互いに関連しており、互いの関連を考慮しながら、一連の動作及び一連の処理として置き換えることができる。これにより、温調機構の実施形態を、温調制御方法の実施形態とすることができる。また、温調機構の実施形態をプラズマ処理装置に利用することにより温調機構の実施形態からプラズマ処理装置の実施形態を実現することができる。
【００７４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇において、各種の変更例または修正例に想到し得ることは明らかであり、これらについても、当然に本発明の技術的範囲に属するものと了解される。
【００７５】
例えば、上記実施形態及び変形例に係る温調機構では、上部電極として機能する天板１１５を冷却したが、本発明に係る温調機構により制御される対象物はかかる例に限定されない。例えば、図８に示したように、本発明に係る温調機構５００をサセプタ１２０の下部に設け、制御部３１０が、温調機構５００により処理容器１００の底板部分の温度調整を制御してもよい。
【００７６】
また、例えば、図８に示したように、本発明に係る温調機構５００を処理容器１００の側壁に取り付けたデポシールド１５０と側壁との間に設け、制御部３１０が、温調機構５００により処理容器１００の側壁部分の温度調整を制御してもよい。
【００７７】
また、本発明に係る温調機構の制御の対象物の温調機構との接触部分は、平らでなくてもよく、例えば、湾曲していてもよい。
【００７８】
また、本発明に係る温調機構の出入り口では、当然のことながら冷却水の温度は異なる。よって、温調機構の入り口では冷水を供給し、出口では温水を排出するというように冷却水の出入り口の位置で温度勾配をつけるように制御してもよい。
【００７９】
また、本発明に係る温調機構では、冷媒だけでなく温媒を流すことにより、対象物を冷やす場合だけでなく温める場合にも利用できる。
【００８０】
本発明に係るプラズマ処理装置は、エッチングに限られず、成膜、アッシング等のいかなるプラズマ処理も実行することができる。また、本発明に係る温調機構は、平行平板型（容量結合型）プラズマ処理装置、誘導結合型プラズマ処理装置、マイクロ波プラズマ処理装置、ＲＬＳＡプラズマ処理装置、その他のいかなるプラズマ処理装置にも使用することができる。また、本発明に係る温調機構は、プラズマ処理装置だけでなく、蒸着装置等の真空状態で温調制御するいかなる装置にも使用することができる。
【００８１】
なお、本発明にかかる制御装置への指令は、専用の制御デバイスあるいはプログラムを実行するＣＰＵ(図示せず)により実行される。プロセス条件を設定したレシピは、ＲＯＭや不揮発性メモリ(ともに図示せず)に予め記憶されていて、ＣＰＵが、これらのメモリからレシピの条件を読み出し実行する。これにより、本発明に係る温調機構を利用した温調制御（ゾーン毎の温調制御を含む）が実現される。
【符号の説明】
【００８２】
１０        エッチング装置
１００      処理容器
１１０      下部電極
１１５      天板
１１５ａ    ガス穴
１２０      サセプタ
２００      温調機構
２１０      ハウジング
２１５      縦ベローズ
２１５ａ    連結部分
２１５ａ１  先端部
２２０      横ベローズ
２３０      固定部材
２３５      連結部材
２４０      チラー
２４５      冷却管
３００      制御装置
３１０      制御部
３１５      記憶部
３１５ａ    レシピ
４００      温調機構
４１０      ハウジング
４２０      横ベローズ
４３０      固定部材
４３５      連結部材
４４０      棒状部材
５００      温調機構
６００      温調機構
【図１】
0005792492.tif 000002
【図２】
0005792492.tif 000003
【図３】
0005792492.tif 000004
【図４】
0005792492.tif 000005
【図５】
0005792492.tif 000006
【図６】
0005792492.tif 000007
【図７】
0005792492.tif 000008
【図８】
0005792492.tif 000009